(57)【要約】    【構成】  インターネットラジオ２０に無線ＬＡＮアクセスポイントルータ３０との無線通信を可能とする設定を行うにあたり、ＰＣ１０を利用する。つまり、ＰＣ１０とインターネットラジオ２０とをアドホックモードで直接的に接続する。そして、ＰＣ１０が無線ＬＡＮアクセスポイントルータ３０との無線通信に使用しているＳＳＩＤおよびＷＥＰ鍵をインターネットラジオ２０に送信し、送信されたＳＳＩＤおよびＷＥＰ鍵をインターネットラジオ２０に設定する。    【効果】  キーボードのような優れた入力インタフェースをもたない機器に対して容易に無線通信のための接続情報を設定できる。【選択図】  図１
2005142792.tif 000002
【特許請求の範囲】
【請求項１】
ネットワークのアクセスポイントへの無線接続に必要な接続情報を特定無線通信端末に設定する無線通信端末において、
前記特定無線通信端末を識別する端末識別子を受け付ける受付手段、
前記受付手段によって受け付けた前記端末識別子に基づいて前記特定無線通信端末と接続する接続手段、および
前記接続手段による接続の後に前記接続情報を前記特定無線通信端末に転送する転送手段を備えることを特徴とする、無線通信端末。
【請求項２】
前記特定無線通信端末は前記ネットワークに接続された認証端末によって認証された電子証明書を有し、
前記接続手段による接続の後に前記特定無線通信端末から前記電子証明書を取得する取得手段、および
前記取得手段によって取得された前記電子証明書に基づいて前記特定無線通信端末が正規の端末であるか否かを判別する判別手段をさらに備え、
前記転送手段は前記判別手段の判別結果が肯定的であるとき前記接続情報を転送する、請求項１記載の無線通信端末。
【請求項３】
前記電子証明書は前記認証端末のアドレスを含み、
前記判別手段は前記アドレスに従って前記認証端末にアクセスして判別を行う、請求項２記載の無線通信端末。
【請求項４】
前記接続情報は、前記アクセスポイントを識別するアクセスポイント識別子を含む、請求項１ないし３のいずれかに記載の無線通信端末。
【請求項５】
前記接続情報は、前記アクセスポイントと暗号化通信を行うための暗号化鍵情報を含む、請求項１ないし４のいずれかに記載の無線通信端末。
【請求項６】
ネットワークのアクセスポイントへの無線接続に必要な接続情報を特定無線通信端末に設定する接続情報設定方法であって、
前記特定無線通信端末を識別する端末識別子を受け付けるステップ(a)、
前記ステップ(a)で受け付けた端末識別子に基づいて前記特定無線通信端末と接続するステップ(b)、および
前記接続情報を前記特定無線通信端末に転送するステップ(c)を備える、接続情報設定方法。
【請求項７】
ネットワークのアクセスポイントへの無線接続に必要な接続情報を特定無線通信端末に設定する無線通信端末のプロセサによって実行される接続情報設定プログラムであって、
前記特定無線通信端末を識別する端末識別子を受け付ける受付ステップ、
前記受付ステップによって受け付けた端末識別子に基づいて前記特定無線通信端末を接続する接続ステップ、および
前記接続ステップによる接続の後に前記接続情報を前記特定無線通信端末に転送する転送ステップを備える、接続情報設定プログラム。
【発明の詳細な説明】
【技術分野】
【０００１】
この発明は、接続情報設定方法および無線通信端末に関し、特にたとえば、メモリに保存された接続情報を用いてネットワークのアクセスポイントに無線接続する無線通信端末に接続情報を設定する、接続情報設定方法および無線通信端末に関する。
【背景技術】
【０００２】
従来のこの種の接続情報設定方法の一例が、非特許文献１に開示されている。
【０００３】
非特許文献１には、無線通信端末としてのパーソナルコンピュータに、このパーソナルコンピュータが備えるキーボードやマウスを用いて無線ＬＡＮのアクセスポイントに無線接続するために必要な接続情報を設定する方法が詳細に開示されている。
【非特許文献１】「無線ＬＡＮと高速インターネット」設定入門(株式会社メディア・テック出版発行)
【発明の開示】
【発明が解決しようとする課題】
【０００４】
非特許文献１に開示された従来の方法では、キーボードのような優れた文字入力インタフェースをもたない、たとえば、ポータブルな音楽再生機やインターネットラジオなどに対して接続情報を設定することができないという問題がある。
【０００５】
それゆえに、この発明の主たる目的は、優れた文字入力インタフェースを備えない無線通信端末に対して容易に接続情報の設定を行うことができる、接続情報設定方法および無線通信端末を提供することである。
【課題を解決するための手段】
【０００６】
請求項１の発明は、ネットワークのアクセスポイントへの無線接続に必要な接続情報を特定無線通信端末に設定する無線通信端末において、特定無線通信端末を識別する端末識別子を受け付ける受付手段、受付手段によって受け付けた端末識別子に基づいて特定無線通信端末と接続する接続手段、および接続手段による接続の後に接続情報を特定無線通信端末に転送する転送手段を備えることを特徴とする、無線通信端末である。
【０００７】
請求項１の発明では、受付手段が特定無線通信端末を識別する端末識別子を受け付け、接続手段が受付手段によって受け付けられた端末識別子に基づいてと特定無線通信端末と接続する。そして、転送手段が、接続手段による接続の後に接続情報を特定無線通信端末に転送する。したがって、請求項１の発明によれば、文字入力インタフェースを備えない特定無線通信端末に対してネットワークのアクセスポイントへの無線接続に必要な接続情報を容易に設定することができる。
【０００８】
請求項２の発明は、特定無線通信端末はネットワークに接続された認証端末によって認証された電子証明書を有し、接続手段による接続の後に特定無線通信端末から電子証明書を取得する取得手段、および取得手段によって取得された電子証明書に基づいて特定無線通信端末が正規の端末であるか否かを判別する判別手段をさらに備え、転送手段は判別手段の判別結果が肯定的であるとき接続情報を転送する、請求項１記載の無線通信端末である。
【０００９】
請求項２の発明では、特定無線通信端末は認証端末によって認証された電子証明書を有している。取得手段が特定無線通信端末から電子証明書を取得し、判別手段が取得手段によって取得された電子証明書に基づいて特定無線通信端末が正規の端末であるか否かを判断する。そして、転送手段は判別手段の判別結果が肯定的であるとき、つまり、特定無線通信端末が正規の端末であるときに接続情報を特定無線通信端末に転送する。したがって、不正な無線通信端末に接続情報を取得されることを防止することができる。
【００１０】
請求項３の発明は、電子証明書は認証端末のアドレスを含み、判別手段はアドレスに従って認証端末にアクセスして判別を行う、請求項２記載の無線通信端末である。
【００１１】
請求項３の発明では、電子証明書には認証端末のアドレスが含まれ、判別手段は電子証明書に含まれるアドレスに基づいて認証端末にアクセスして特定無線通信端末の認証を行う。したがって、無線通信端末は別途に認証端末のアドレスを取得する必要がない。
【００１２】
請求項４の発明は、接続情報は、アクセスポイントを識別するアクセスポイント識別子を含む、請求項１ないし３のいずれかに記載の無線通信端末である。
【００１３】
請求項４の発明では、接続情報にはアクセスポイントを識別するアクセスポイント識別子が含まれる。したがって、文字入力インタフェースを有さない特定無線通信端末にアクセスポイント識別情報を与えることができる。
【００１４】
請求項５の発明は、接続情報は、アクセスポイントと暗号化通信を行うための暗号化鍵情報を含む、請求項１ないし４のいずれかに記載の無線通信端末である。
【００１５】
請求項５の発明では、接続情報にはアクセスポイントと暗号化通信を行うための暗号化鍵情報が含まれる。したがって、文字入力インタフェースを有さない特定無線通信端末に暗号化鍵を与えることができる。
【００１６】
請求項６の発明は、ネットワークのアクセスポイントへの無線接続に必要な接続情報を特定無線通信端末に設定する接続情報設定方法であって、特定無線通信端末を識別する端末識別子を受け付けるステップ(a)、ステップ(a)で受け付けた端末識別子に基づいて特定無線通信端末と接続するステップ(b)、および接続情報を特定無線通信端末に転送するステップ(c)を備える、接続情報設定方法である。
【００１７】
請求項６の発明では、ステップ(a)において特定無線通信端末を識別する端末識別子が受け付けられ、ステップ(b)においてステップ(a)で受け付けた端末識別子に基づいて特定無線通信端末と接続する。そして、ステップ(c)において接続情報を特定無線通信端末に転送する。したがって、請求項６の発明によれば、文字入力インタフェースを有さない特定無線通信端末に接続情報を容易に設定することができる。
【００１８】
請求項７の発明は、ネットワークのアクセスポイントへの無線接続に必要な接続情報を特定無線通信端末に設定する無線通信端末のプロセッサによって実行される接続情報設定プログラムであって、特定無線通信端末を識別する端末識別子を受け付ける受付ステップ、受付ステップによって受け付けた端末識別子に基づいて特定無線通信端末を接続する接続ステップ、および接続ステップによる接続の後に接続情報を特定無線通信端末に転送する転送ステップを備える、接続情報設定プログラムである。
【００１９】
請求項７の発明では、ネットワークのアクセスポイントへの無線接続に必要な接続情報を特定無線通信端末に設定する無線通信端末のプロセッサによって、特定無線通信端末を識別する端末識別子を受け付ける受付ステップ、受付ステップによって受け付けられた端末識別子に基づいて特定無線通信端末に接続する接続ステップ、および接続ステップによる接続の後に接続情報を特定無線通信端末に転送する転送ステップが実行される。したがって、請求項７の発明によれば、文字入力インタフェースを有さない特定無線通信端末に対して接続情報を容易に設定することができる。
【発明の効果】
【００２０】
この発明によれば、文字入力インタフェースを備えない無線通信端末に対して無線ＬＡＮ接続に必要な接続情報を容易に設定することができる。
【００２１】
この発明の上述の目的，その他の目的，特徴および利点は、図面を参照して行う以下の実施例の詳細な説明から一層明らかとなろう。
【発明を実施するための最良の形態】
【００２２】
図１に示すこの発明の一実施例では、パーソナルコンピュータ(以下、単に“ＰＣ”と表記する)１０は無線通信によって無線ＬＡＮアクセスポイントルータ３０に接続可能となっており、このＰＣ１０を用いて、インターネットラジオ２０を無線ＬＡＮアクセスポイントルータ３０と無線通信させるための設定を行う。
【００２３】
無線ＬＡＮアクセスポイントルータ３０はインターネット１００に接続されており、インターネット１００上には、インターネットラジオ２０の認証を行うための認証局の認証サーバ４０が存在する。なお、無線ＬＡＮアクセスポイントルータ３０は、ネットワークに接続された無線通信端末にＩＰアドレスなどのネットワーク情報を割り付けるＤＨＣＰ(Dynamic Host Configuration Protocol)機能を備えている。
【００２４】
インターネットラジオ２０の記憶装置には、認証局によって発行された電子証明書および電子証明書に含まれる公開鍵に対応する秘密鍵が製造の段階で書き込まれている。なお、電子証明書には公開鍵の他に認証サーバ４０のインターネット１００上での場所を示すアドレス(ＵＲＬ：Uniform Resource Locator)が含まれている。
【００２５】
インターネットラジオ２０は、無線ＬＡＮアクセスポイントルータ３０を介してインターネット１００に接続し、インターネット１００上に存在する図示しないラジオ局から音楽などの音声コンテンツのストリーミング配信を受けるものである。
【００２６】
ＰＣ１０は、具体的には、図２に示すように構成されている。図２からわかるように、ＰＣ１０はＣＰＵ(Central Processing Unit)５０を含んでいる。そして、ＣＰＵ５０には、バス(bus)６４を介して、ＲＡＭ(Random Access Memory)５２，ＨＤＤ(Hard Disc Drive)５４，無線ＬＡＮカード５６，ディスプレイ５８，キーボード６０およびマウス６２が接続される。無線ＬＡＮカード５６は、ＥＥＰＲＯＭ(Electronically Erasable PROM)５６ｅを有している。ＣＰＵ５０はＨＤＤ５４に記録されたプログラムに基づいて動作する。なお、ＨＤＤ５４には、インターネットラジオ２０を無線ＬＡＮアクセスポイントルータ３０に接続させるための設定を行うアプリケーションプログラムＡＰ１が格納されている。
【００２７】
また、インターネットラジオ２０は、具体的には、図３に示すように構成されている。図３からわかるように、インターネットラジオ２０はＭＣＵ(Micro Controller Unit)７０を含んでいる。そして、ＭＣＵ７０には、ＲＯＭ(Read Only Memory)７２，ＲＡＭ７４，無線ＬＡＮカード７６，キーパッド７８およびＤＳＰ(Digital Signal Processor)８０が接続される。ＤＳＰ８０にはディスプレイ８２が接続され、また、ＤＡＣ(Digital-to-Analog Converter)８４およびＡＭＰ(AMPlifier)８６を介してスピーカ８８が接続される。無線ＬＡＮカード７６には、ＥＥＰＲＯＭ７６ｅが設けられている。
【００２８】
また、キーパッド７８は、電源キー７８ｐ，ラジオ局を選択するためのアップキー７８ｕおよびダウンキー７８ｄおよび記憶している特定のラジオ局を選択するための複数のプリセットキー７８ｓを備えている。なお、インターネットラジオ２０は、容易に文字を入力できるキーボードのような優れた入力インタフェースを備えていない。ＭＣＵ７０はＲＯＭ７２に記録されたプログラムに基づいて動作する。なお、ＲＯＭ７２には、インターネットラジオ２０を無線ＬＡＮアクセスポイントルータ３０に接続させるための設定を受け付けるアプリケーションプログラムＡＰ２が格納されている。また、ＲＯＭ７２には、上述の電子証明書および秘密鍵が保持されている。
【００２９】
インターネットラジオ２０を無線ＬＡＮアクセスポイントルータ３０と無線通信可能にするには、接続情報として、ＳＳＩＤ(Service Set IDentifier)と呼ばれる情報とＷＥＰ(Wired Equivalent Privacy)鍵と呼ばれる情報とを無線ＬＡＮカード７６に設定する必要がある。
【００３０】
この実施例においては、無線通信を実現するために、無線ＬＡＮシステム標準化に関するＩＥＥＥ(Institute of Electrical and Electronics Engineers Inc.)の分科会によって規格化されたＩＥＥＥ８０２．１１と呼ばれる仕様を採用する。ＩＥＥＥ８０２．１１を用いた無線ＬＡＮにおいては、無線通信端末にＳＳＩＤという識別子(アクセスポイント識別子)を割り当て、同じＳＳＩＤを有する無線通信端末間においてのみ通信が可能となる。したがって、ＰＣ１０，インターネットラジオ２０および無線アクセスポイントルータ３０の間でインフラストラクチャ(Infrastructure)モードでの無線通信を行うためには、ＰＣ１０，インターネットラジオ２０および無線アクセスポイントルータ３０のそれぞれに、同一のＳＳＩＤを設定する必要がある。インフラストラクチャモードとは、アクセスポイント(無線アクセスポイントルータ３０)を介して無線通信端末どうしを接続する形態のことである。これに対し、アクセスポイントを介さずに無線通信端末どうしを直接的に無線接続する形態はアドホック(Ad-Hoc)モードと呼ばれる。この場合、直接通信する無線通信端末にそれらの無線通信端末の間でのみ共通のＳＳＩＤを設定する。
【００３１】
また、ＩＥＥＥ８０２．１１に準拠した無線ＬＡＮにおいては、ＷＥＰと呼ばれるセキュリティ機構が用いられる。ＷＥＰでは通信を行う双方がＷＥＰ鍵(暗号化鍵)を保持し、このＷＥＰ鍵が一致した場合にのみ通信が可能となる。また、無線通信端末から送信されるデータはこのＷＥＰ鍵で暗号化され、データを受信した無線通信端末では暗号化に用いられたものと同じＷＥＰ鍵によって暗号化データが復号化される。したがって、ＷＥＰ鍵もＰＣ１０，インターネットラジオ２０および無線アクセスポイントルータ３０の間で共通のものが使用される。
【００３２】
図１および図３に示したインターネットラジオ２０のような無線通信端末を購入して初めて利用する場合や、今までと異なった無線ＬＡＮ環境で無線通信端末を使用する場合には、使用する無線ＬＡＮ環境に固有のＳＳＩＤおよびＷＥＰ鍵を設定する必要がある。無線ＬＡＮに新たに接続する無線通信端末がＰＣ１０などのようにキーボード６０のような優れた文字入力インタフェースを備えている場合には、ＳＳＩＤやＷＥＰ鍵の設定を容易に行うことができる。
【００３３】
しかし、無線ＬＡＮに新たに接続する無線通信端末が、インターネットラジオ２０のように文字入力を容易に行える文字入力インタフェースを備えていない場合には、ＳＳＩＤやＷＥＰ鍵の入力設定が困難である。そこで、この実施例では、優れた入力インタフェースを備えているＰＣ１０とインターネットラジオ２０とをアドホックモードで無線接続し、ＰＣ１０のキーボード６０から入力したＳＳＩＤとＷＥＰ鍵とをインターネットラジオ２０の無線ＬＡＮカード７６に設定する。
【００３４】
つまり、まず、インターネットラジオ２０にデフォルトとして設定されているＳＳＩＤをＰＣ１０に設定する。また、インターネットラジオ２０に同じくデフォルトとして設定されている固定ＩＰ(Internet Protocol)アドレスとネットワーク部のみが同じであるＩＰアドレスをＰＣ１０に設定する。なお、デフォルトのＳＳＩＤおよび固定ＩＰアドレスは、インターネットラジオ２０の取り扱い説明書から知得される。こうすることによってＰＣ１０とインターネットラジオ２０とをアドホックモードで無線接続することができる。
【００３５】
次に、ＰＣ１０はインターネットラジオ２０から電子証明書を取得し、取得した電子証明書に含まれている公開鍵が認証局に登録されているかどうかを認証サーバ４０に問い合わせる。このことによってインターネットラジオ２０が正規の機器であり、不正にＷＥＰ鍵などを取得しようとしているのではないことを確認する。
【００３６】
インターネットラジオ２０の認証に成功すると、ＰＣ１０において、電子証明書から抽出した公開鍵を用いてＰＣ１０が無線ＬＡＮアクセスポイントルータ３０との無線通信に使用しているＳＳＩＤおよびＷＥＰ鍵を暗号化する。そして、暗号化したＳＳＩＤおよびＷＥＰ鍵をインターネットラジオ２０に送信する。暗号化したＳＳＩＤおよびＷＥＰ鍵を送信するとＰＣ１０はインフラストラクチャモードに復帰する。
【００３７】
インターネットラジオ２０では、受信した暗号化されたＳＳＩＤおよびＷＥＰ鍵を、電子証明書に含めてＰＣ１０に送信した公開鍵に対応する秘密鍵を用いて復号化する。そして、復号化したＷＥＰ鍵およびＳＳＩＤを無線ＬＡＮカード７６に設定し、通信モードをインフラストラクチャモードに変更する。
【００３８】
こうして、インターネットラジオ２０の無線ＬＡＮカード７６に新たなＳＳＩＤおよびＷＥＰ鍵が設定されて無線ＬＡＮアクセスポイントルータ３０との無線通信が可能となる。
【００３９】
以下に、図４および図５に示すフロー図を用いて、インターネットラジオ２０へのＳＳＩＤおよびＷＥＰ鍵設定時のＰＣ１０のＣＰＵ５０およびインターネットラジオ２０のＭＣＵ７０の動作について説明する。
【００４０】
まず、ユーザはインターネットラジオ２０の製品パッケージに含まれているＣＤ−ＲＯＭを用いて、ＳＳＩＤおよびＷＥＰ鍵をインターネットラジオ２０に設定するためのアプリケーションプログラムＡＰ１をＰＣ１０にインストールする。次に、ユーザはマウス６２を用いてディスプレイ５８に表示されたアプリケーションプログラムＡＰ１を起動するためのアイコンをダブルクリックする。
【００４１】
すると、図４のステップＳ１においてＰＣ１０のＣＰＵ５０はアプリケーションプログラムＡＰ１を起動する。そして、ステップＳ３では、現在ＰＣ１０の無線ＬＡＮカード５６に設定されているインフラストラクチャモード用(ＩＳ用)のＳＳＩＤおよびＩＰアドレスをＲＡＭ５２に退避する。
【００４２】
ユーザはＰＣ１０のディスプレイ５８に表示されるＷｅｂページのガイドに従って、インターネットラジオ２０の取り扱い説明書から知得した、インターネットラジオ２０の無線ＬＡＮカード７６にデフォルトとして設定されているＳＳＩＤおよび固定ＩＰアドレス、つまり、アドホックモード用(ＡＨ用)のＳＳＩＤおよび固定ＩＰアドレスを入力する。
【００４３】
すると、ステップＳ５においてＡＨ用のＳＳＩＤが受け付けられて無線ＬＡＮカード５６に設定され(ＥＥＰＲＯＭ５６ｅに書き込まれる)、また、ステップＳ７においてＡＨ用のＩＰアドレスが設定される(ＥＥＰＲＯＭ５６ｅに書き込まれる)。なお、このとき、入力された固定ＩＰアドレスがそのまま設定されるのではなく、入力された固定ＩＰアドレスとネットワーク部のみが同じであるＩＰアドレスを生成し、このＩＰアドレスが設定される。
【００４４】
ＡＨ用のＳＳＩＤおよびＩＰアドレスの設定が終了すると、ステップＳ９においてＰＣ１０は、インフラストラクチャモードからアドホックモードに移行し、ステップＳ１１においてアドホックモード通信の対象であるインターネットラジオ２０に対して認証要求を送信する。
【００４５】
インターネットラジオ２０では、ステップＳ１３において認証要求を受信し、認証要求の受信に応答して、セットアップのためのアプリケーションプログラムＡＰ２をステップＳ１５において起動する。そして、ステップＳ１７では、ＲＯＭ７２から電子証明書を読み出して、読み出した電子証明書をＰＣ１０に送信する。
【００４６】
ＰＣ１０では、ステップＳ１９において、インターネットラジオ２０から送信された電子証明書を受信する。そして、ステップＳ２１において、現在無線ＬＡＮカード５６に設定されているＡＨ用のＳＳＩＤおよびＩＰアドレスをＲＡＭ５２に書き込んで退避し、先のステップＳ３においてＲＡＭ５２に退避させたＩＳ用のＳＳＩＤおよびＩＰアドレスを読み出して無線ＬＡＮカード５６に設定する。
【００４７】
ステップＳ２５ではＰＣ１０をインフラストラクチャモードに移行させて、無線ＬＡＮアクセスポイントルータ３０を介して認証サーバ４０にアクセスする。なお、上述したように、認証サーバ４０にアクセスするためのＵＲＬは、インターネットラジオ２０から受信した電子証明書に含まれている。
【００４８】
ステップＳ２９では、認証サーバ４０に電子証明書から抽出した公開鍵を送信して、公開鍵の有効性の判断を求める。そして、図５のステップＳ３１では、認証サーバ４０から公開鍵の有効性の判断結果を受信する。
【００４９】
ステップＳ３５において、公開鍵の有効性の判断結果が肯定的であるかどうか、つまり、公開鍵が有効であるかどうかを判断する。ステップＳ３５においてＮＯと判断すると、ステップＳ５３においてエラー処理を行う。一方、ステップＳ３５においてＹＥＳと判断するとステップＳ３７に進む。公開鍵の有効性が確認されることによってインターネットラジオ２０が正規の機器であることが認証される。
【００５０】
ステップＳ３７では、無線ＬＡＮカード５６に設定されているＩＳ用のＳＳＩＤおよびＩＰアドレスをＲＡＭ５２に退避し、ステップＳ３９において、ＲＡＭ５２に退避していたＡＨ用のＳＳＩＤおよびＩＰアドレスを読み出して無線ＬＡＮカード５６に設定する。そして、ステップＳ４１においてアドホックモードに移行する。
【００５１】
ステップＳ４３では、無線ＬＡＮカード５６に設定されている(ＥＥＰＲＯＭ５６ｅに記録されている)ＷＥＰ鍵およびＲＡＭ５２に退避されているＩＳ用のＳＳＩＤを、有効性が確認された公開鍵を用いて暗号化し、ステップＳ４５において、暗号化されたＷＥＰ鍵およびＩＳ用のＳＳＩＤをインターネットラジオ２０に送信する。
【００５２】
暗号化されたＷＥＰ鍵およびＩＳ用のＳＳＩＤの送信を終えると、ＰＣ１０では、ステップＳ４７において、ＲＡＭ５２に退避されているＩＳ用のＳＳＩＤおよびＩＰアドレスを読み出して無線ＬＡＮカード５６に設定し、ステップＳ４９においてインフラストラクチャモードに移行する。そして、ステップＳ５１では、アプリケーションプログラムＡＰ１を終了する。
【００５３】
一方、インターネットラジオ２０では、ステップＳ５５において、ＰＣ１０から送信された、暗号化されたＷＥＰ鍵およびＩＳ用のＳＳＩＤを受信し、ステップＳ５７では、ＲＯＭ７２から秘密鍵を読み出し、読み出した秘密鍵を用いて暗号化されたＷＥＰ鍵およびＩＳ用のＳＳＩＤを復号化する。そして、復号化されたＷＥＰ鍵およびＩＳ用のＳＳＩＤをステップＳ５９において、無線ＬＡＮカード７６に設定し(ＥＥＰＲＯＭ７６ｅに書き込む)、ステップＳ６１においてインフラストラクチャモードに移行する。
【００５４】
ステップＳ６３では、無線ＬＡＮアクセスポイントルータ３０にＩＰアドレスを要求し、ステップＳ６５において無線ＬＡＮアクセスポイントルータ３０からＩＰアドレスを取得して無線ＬＡＮカード７６に設定する。そして、ステップＳ６７ではアプリケーションプログラムＡＰ２を終了する。
【００５５】
このようにして、インターネットラジオ２０にＷＥＰ鍵およびＳＳＩＤが設定されてインターネットラジオ２０が無線ＬＡＮアクセスポイントルータ３０を介してＰＣ１０やインターネット１００に接続可能となる。
【００５６】
以上説明したように、ＰＣ１０が備えるキーボード６０およびマウス６２を用いて無線ＬＡＮアクセスポイントルータ３０との無線接続に必要な接続情報(ＳＳＩＤ，ＷＥＰ鍵など)を入力し、ＰＣ１０を用いて入力されえた接続情報をインターネットラジオ２０に設定する。したがって、文字入力インタフェースを有さない無線通信端末に無線接続に必要な接続情報を容易に設定することができる。
【００５７】
なお、上述の実施例の内容は適宜に変更することができる。たとえば、無線通信接続の設定を行う対象機器をインターネットラジオ２０として説明したが、インターネットラジオ２０に限らず、ＷＥＰ鍵やＳＳＩＤのような接続情報を設定して無線通信を行う無線通信端末であればどのようなものであってもよい。
【００５８】
また、無線ＬＡＮアクセスポイントルータ３０が、上述の実施例においてＰＣ１０に持たせたような機能を有するようにしてもよい。
【図面の簡単な説明】
【００５９】
【図１】この発明の一実施例の全体構成を示す図解図である。
【図２】パーソナルコンピュータの構成例を示すブロック図である。
【図３】インターネットラジオの構成例を示すブロック図である。
【図４】図１の実施例におけるパーソナルコンピュータのＣＰＵおよびインターネットラジオのＭＣＵの動作を示すフロー図である。
【図５】図４のフロー図に続くフロー図である。
【符号の説明】
【００６０】
１０  …パーソナルコンピュータ
６０  …キーボード
６２  …マウス
２０  …インターネットラジオ
３０  …無線ＬＡＮアクセスポイントルータ
４０  …認証サーバ
５０  …ＣＰＵ
５６，７６  …無線ＬＡＮカード
５６ｅ，７６ｅ  …ＥＥＰＲＯＭ
７０  …ＭＣＵ
１００  …インターネット
【図１】
2005142792.tif 000003
【図２】
2005142792.tif 000004
【図３】
2005142792.tif 000005
【図４】
2005142792.tif 000006
【図５】
2005142792.tif 000007